(57)【要約】 【課題】  各階に切換えボタンを設けることなく、方向性乗合操作方式からシングルオートマチック方式への切換えをより早く行うことができるエレベータ運転操作装置を提供する。【解決手段】  制御部１０は、専有ボタン２１が操作されると、乗合運転モードから専有運転モードへ切換え、メモリ１２の登録領域から行先情報および停止階情報を読み出してメモリ１２の退避領域へ書き込むとともに登録領域に記憶された情報を消去する。専有運転モードでは、行先ボタン２３によって新たに指示された行先へかごを移動する際、行先までの階に停止することなく行先までかごを移動する。専有運転モードでのかごの移動が終了すると、専有運転モードから乗合運転モードへ切換え、メモリ１２の退避領域から行先情報および停止階情報を読み出してメモリ１２の登録領域へ書き込むとともにメモリ１２の退避領域に記憶された情報を消去する。【選択図】      図１
2007186279.tif 000002
【特許請求の範囲】
【請求項１】
かごに設置され、かごの行先を指示するための行先ボタンと、
建物の各階に設けられる搬入出部に設置され、上昇方向へ移動させるかごを各上呼びボタンが設置された搬入出部がある階に停止することを指示するための上呼びボタン、および下降方向へ移動させるかごを各下呼びボタンが設置された搬入出部がある階に停止することを指示するための下呼びボタンと、
かごに設置される専有ボタンと、
上呼びボタンおよび下呼びボタンによって停止が指示された階にかごを停止する乗合運転モード、および行先までの階に停止することなく行先までかごを移動する専有運転モードのいずれかのモードで、かごの運転を制御し、さらに専有ボタンが操作されると、乗合運転モードから専有運転モードへ切換えて、専有ボタンが操作された後行先ボタンによって指示された行先にかごを移動する制御手段とを含むことを特徴とするエレベータ運転操作装置。
【請求項２】
前記制御手段は、専有運転モードでかごを行先へ移動した後、専有運転モードから乗合運転モードへ切換えてかごの運転を制御することを特徴とする請求項１に記載のエレベータ運転操作装置。
【請求項３】
第１の記憶手段および第２の記憶手段をさらに含み、
前記制御手段は、
前記行先ボタンによって指示された行先を表す行先情報、ならびに前記上呼びボタンによって停止が指示された階および前記下呼びボタンによって停止が指示された階を表す停止階情報を第１の記憶手段へ書き込み、
第１の記憶手段に記憶された行先情報が示す行先へかごを移動する際、第１の記憶手段に記憶された停止階情報が示す階のうちで、行先への移動方向と同じ方向へ移動させるかごの停止が指示された階にかごを停止し、
前記専有ボタンが操作されて乗合運転モードから専有運転モードへ切換えるとき、第１の記憶手段から行先情報および停止階情報を読み出して第２の記憶手段へ書き込むとともに第１の記憶手段に記憶された行先情報および停止階情報を消去し、
さらに専有運転モードでかごを行先へ移動させた後専有運転モードから乗合運転モードへ切換えるとき、第２の記憶手段から行先情報および停止階情報を読み出して第１の記憶手段へ書き込むことを特徴とする請求項２に記載のエレベータ運転操作装置。
【請求項４】
専有運転モードで運転中であることを示すための専有表示灯をさらに含み、
前記制御手段は、乗合運転モードから専有運転モードへ切換えるとき、専有表示灯を点灯し、さらに専有運転モードから乗合運転モードへ切換えるとき、専有表示灯を消灯することを特徴とする請求項２または３に記載のエレベータ運転操作装置。
【発明の詳細な説明】
【技術分野】
【０００１】
本発明は、エレベータの運転を操作するエレベータ運転操作装置に関する。
【背景技術】
【０００２】
乗用エレベータが主に適用している方向性乗合操作方式、つまりかごの移動方向と同じ方向の呼びがあった乗場に停止する方式を、荷物用エレベータに適用する場合が多い。これは、荷物用エレベータの定格積載荷重と同じ荷重の荷物を積載して運転する場合が少ないので、シングルオートマチック方式、つまりかごの移動中は途中の乗場に停止せずに目的階まで移動する方式に比較して、運転効率がよい方向性乗合操作方式を適用する場合が多いためである。
【０００３】
しかし、方向性乗合操作方式を適用した荷物用エレベータで、かごに荷物が積載されて目的階へ移動中に、呼びに応答してその呼びがあった乗場に停止すると、荷物の積載状況によっては、荷物の搬出効率が悪くなり、返って運転効率が悪くなることがある。
【０００４】
運転効率の悪化を改善する従来の技術として、エレベータの操作制御装置がある。このエレベータの操作制御装置は、かごの移動方向と同じ方向の呼びに順次応答する第１の操作制御手段から、かごに設けられたかご呼釦による呼びにのみ応答する第２の操作制御手段へ切換えるための専用呼釦を乗場に設けている。専用呼釦による呼信号が発生すると、その時点までの乗場呼登録を消去し、その時点までのかご呼登録に応答した後第１の操作制御手段から第２の操作制御手段へ切換え、さらに第２の操作制御手段でのかご呼びの乗場へ移動した後一定時間が経過すると、第１の操作制御手段に戻る。したがって、普段は、運転効率のよい第１の操作制御手段すなわち方向性乗合操作方式で運転し、必要に応じて乗場に設けられた専用呼釦によって、第２の操作制御手段すなわちシングルオートマチック方式へ切換えるので、エレベータの運転効率をよくすることができる（たとえば特許文献１参照）。
【０００５】
【特許文献１】特開平５−３２３８０号公報
【発明の開示】
【発明が解決しようとする課題】
【０００６】
しかしながら、乗場に設けられた専用呼釦つまり切換えボタンによって、方向性乗合操作方式からシングルオートマチック方式へ切換えるものであるが、各乗場つまり各階に切換えボタンを設ける必要があり、さらに切換えボタンが操作されてもかご呼登録への応答が完了するまでシングルオートマチック方式へ切換えることができないという問題がある。
【０００７】
本発明の目的は、各階に切換えボタンを設けることなく、方向性乗合操作方式からシングルオートマチック方式への切換えをより早く行うことができるエレベータ運転操作装置を提供することである。
【課題を解決するための手段】
【０００８】
本発明は、かごに設置され、かごの行先を指示するための行先ボタンと、
建物の各階に設けられる搬入出部に設置され、上昇方向へ移動させるかごを各上呼びボタンが設置された搬入出部がある階に停止することを指示するための上呼びボタン、および下降方向へ移動させるかごを各下呼びボタンが設置された搬入出部がある階に停止することを指示するための下呼びボタンと、
かごに設置される専有ボタンと、
上呼びボタンおよび下呼びボタンによって停止が指示された階にかごを停止する乗合運転モード、および行先までの階に停止することなく行先までかごを移動する専有運転モードのいずれかのモードで、かごの運転を制御し、さらに専有ボタンが操作されると、乗合運転モードから専有運転モードへ切換えて、専有ボタンが操作された後行先ボタンによって指示された行先にかごを移動する制御手段とを含むことを特徴とするエレベータ運転操作装置である。
【０００９】
本発明に従えば、かごに設置される行先ボタンによって、かごの行先が指示され、建物の各階に設けられる搬入出部に設置される上呼びボタンによって、上昇方向へ移動させるかごを各上呼びボタンが設置された搬入出部がある階に停止することが指示され、各階の搬入出部に設置される下呼びボタンによって、下降方向へ移動させるかごを各下呼びボタンが設置された搬入出部がある階に停止することが指示され、制御手段によって、上呼びボタンおよび下呼びボタンによって停止が指示された階にかごを停止する乗合運転モード、および行先までの階に停止することなく行先までかごを移動する専有運転モードのいずれかのモードで、かごの運転が制御され、さらにかごに設置される専有ボタンが操作されると、乗合運転モードから専有運転モードへ切換えて、専有ボタンが操作された後行先ボタンによって指示された行先にかごが移動される。
【００１０】
このように、かごに設置される専有ボタンつまり切換えボタンが操作されると、行先への移動方向と同じ方向へ移動させるかごの停止を指示した上呼びボタンおよび下呼びボタンが設置された搬入出部が設けられた階にかごを停止する乗合運転モードつまり方向性乗合操作方式から、行先までの階に停止することなく行先までかごを移動する専有運転モードつまりシングルオートマチック方式へ切換えるので、各階に切換えボタンを設けることなく、方向性乗合操作方式からシングルオートマチック方式への切換えをより早く行うことができる。
【００１１】
また本発明は、前記制御手段は、専有運転モードでかごを行先へ移動した後、専有運転モードから乗合運転モードへ切換えてかごの運転を制御することを特徴とする。
【００１２】
本発明に従えば、専有運転モードでかごを行先へ移動した後、専有運転モードから乗合運転モードへ切換えるので、専有運転モードでの行先へのかごの移動が完了すると、元の乗合運転モードに戻すことができる。
【００１３】
また本発明は、第１の記憶手段および第２の記憶手段をさらに含み、
前記制御手段は、
前記行先ボタンによって指示された行先を表す行先情報、ならびに前記上呼びボタンによって停止が指示された階および前記下呼びボタンによって停止が指示された階を表す停止階情報を第１の記憶手段へ書き込み、
第１の記憶手段に記憶された行先情報が示す行先へかごを移動する際、第１の記憶手段に記憶された停止階情報が示す階のうちで、行先への移動方向と同じ方向へ移動させるかごの停止が指示された階にかごを停止し、
前記専有ボタンが操作されて乗合運転モードから専有運転モードへ切換えるとき、第１の記憶手段から行先情報および停止階情報を読み出して第２の記憶手段へ書き込むとともに第１の記憶手段に記憶された行先情報および停止階情報を消去し、
さらに専有運転モードでかごを行先へ移動させた後専有運転モードから乗合運転モードへ切換えるとき、第２の記憶手段から行先情報および停止階情報を読み出して第１の記憶手段へ書き込むことを特徴とする。
【００１４】
本発明に従えば、行先ボタンによって指示された行先を表す行先情報、ならびに上呼びボタンによって停止が指示された階および下呼びボタンによって停止が指示された階を表す停止階情報を第１の記憶手段へ書き込み、第１の記憶手段に記憶された行先情報が示す行先へかごを移動する際、第１の記憶手段に記憶された停止階情報が示す階のうちで、行先への移動方向と同じ方向へ移動させるかごの停止が指示された階にかごを停止する。さらに専有ボタンが操作されて乗合運転モードから専有運転モードへ切換えるとき、第１の記憶手段から行先情報および停止階情報を読み出して第２の記憶手段へ書き込むとともに第１の記憶手段に記憶された行先情報および停止階情報を消去し、さらに専有運転モードでかごを行先へ移動させた後専有運転モードから乗合運転モードへ切換えるとき、第２の記憶手段から行先情報および停止階情報を読み出して第１の記憶手段へ書き込むので、乗合運転モードから専有運転モードへ切換えるときに退避しておいた行先情報および停止階情報を、専有運転モードでかごを行先へ移動させた後専有運転モードから乗合運転モードへ切換えるときに復活させることができる。
【００１５】
また本発明は、専有運転モードで運転中であることを示すための専有表示灯をさらに含み、
前記制御手段は、乗合運転モードから専有運転モードへ切換えるとき、専有表示灯を点灯し、さらに専有運転モードから乗合運転モードへ切換えるとき、専有表示灯を消灯することを特徴とする。
【００１６】
本発明に従えば、乗合運転モードから専有運転モードへ切換えるとき、専有表示灯を点灯し、さらに専有運転モードから乗合運転モードへ切換えるとき、専有表示灯を消灯するので、専有運転モードであることを専有表示灯によって示すことができる。
【発明の効果】
【００１７】
本発明によれば、各階に切換えボタンを設けることなく、方向性乗合操作方式からシングルオートマチック方式への切換えをより早く行うことができるので、装置の製造コストを抑えることができ、さらにシングルオートマチック方式に切換えられた後にかごの行先ボタンで指示された行先への移動を、シングルオートマチック方式に切換えられる前にかごの行先ボタンによって指示された行先への移動よりも優先し、かつシングルオートマチック方式に切換えられる前に各階の呼びボタンによって指示された階に停止することなくかごを行先まで移動することができる。
【００１８】
また本発明によれば、専有運転モードでの行先へのかごの移動が完了すると、元の乗合運転モードに戻すことができるので、必要なときのみ専有運転モードに切換えることができ、運転効率の悪化を改善することができる。
【００１９】
また本発明によれば、乗合運転モードから専有運転モードへ切換えるときに退避しておいた行先情報および停止階情報を、専有運転モードでかごを行先へ移動させた後専有運転モードから乗合運転モードへ切換えるときに復活させることができるので、ユーザは、専有運転モードに切換える前に登録されていた行先情報が示す行先および停止階情報が示す階を、行先ボタン、上呼びボタン、および下呼びボタンによって再度指示する必要がない。
【００２０】
また本発明によれば、専有運転モードであることを専有表示灯によって示すことができるので、ユーザは、専有表示灯によって専有運転モードで運転中であることを知ることができる。
【発明を実施するための最良の形態】
【００２１】
図１は、本発明の実施の一形態であるエレベータ運転操作装置１の構成を示す。エレベータ運転操作装置１は、たとえば荷物用エレベータなどのエレベータの運転を操作する装置であり、制御部１０、かご操作盤２０、および複数の乗場操作盤３０を含む。
【００２２】
制御部１０は、ＣＰＵ（Central Processing Unit）１１およびメモリ１２を含む。ＣＰＵ１１は、メモリ１２に記憶されるプログラムを実行して、図示しない荷物用エレベータのかごの運転を制御する。メモリ１２は、たとえば半導体メモリなどの記憶装置によって構成され、ＣＰＵ１１によって実行されるプログラム、およびＣＰＵ１１によって書き込みおよび読み出しが行われる情報、たとえば、かごの運転を制御するための情報を記憶する。かご操作盤２０は、かごに設置される操作盤であり、乗場操作盤３０は、建物の各階に設けられる搬入出部に１つ設置される操作盤である。
【００２３】
図２は、図１に示したかご操作盤２０および乗場操作盤３０の外観を示す。図２（ａ）は、図１に示したかご操作盤２０の外観を示す。かご操作盤２０は、かごに設置される操作盤であり、専有ボタン２１、専有表示灯２２、複数の行先ボタン２３、および複数の行先灯２４を含む。
【００２４】
専有ボタン２１は、行先への移動方向と同じ方向へ移動させるかごの停止を指示した後述する上呼びボタンおよび下呼びボタンが設置された搬入出部がある階にかごを停止する方向性乗合操作方式（以下乗合運転モードという）から、行先までの階に停止することなく行先までかごを移動するシングルオートマチック方式（以下専有運転モードという）への切換えを指示するためのボタンである。専有ボタン２１は、たとえば押しボタンによるスイッチによって構成される。専有ボタン２１が操作されると、専有ボタン２１が操作されたことを示す信号が、制御部１０に送られる。
【００２５】
専有表示灯２２は、たとえば表示ランプによって構成され、点灯しているとき専有運転モードであることを示す。専有表示灯２２は、制御部１０からの指示によって、点灯あるいは消灯する。行先ボタン２３は、かごの行先つまり目的階を指示するためのボタンである。各行先ボタン２３は、たとえば押しボタンによるスイッチによって構成され、行先ボタン２３は、かごを停止させることができる階の数のボタンからなる。行先ボタン２３が操作されると、操作された行先ボタン２３に対応する行先を示す信号が、制御部１０へ送られる。
【００２６】
各行先灯２４は、たとえば表示ランプによって構成され、行先灯２４は、行先ボタン２３に対応する数の表示ランプからなる。行先灯２４は、制御部１０からの指示によって、点灯あるいは消灯する。行先灯２４は、行先ボタン２３によって指示された行先を示す表示ランプを点灯し、かごが停止した階に対応する表示ランプは消灯する。
【００２７】
図２（ｂ）は、図１に示した乗場操作盤３０の外観を示す。乗場操作盤３０は、建物の各階に設けられる搬入出部に１つ設置される操作盤であり、各乗場操作盤３０は、上呼びボタン３１および下呼びボタン３２を含む。上呼びボタン３１および下呼びボタン３２は、たとえば押しボタンによるスイッチおよび表示ランプによって構成される。各乗場操作盤３０の上呼びボタン３１は、上昇方向へ移動させるかごを呼ぶためのボタン、つまり上昇方向へ移動させるかごをその上呼びボタン３１が設置された搬入出部がある階に停止することを指示するボタンであり、上呼びボタン３１が操作されると、その上呼びボタン３１が操作されたことを示す信号が制御部１０に送られる。下呼びボタン３２は、下降方向へ移動させるかごを呼ぶためのボタン、つまり下降方向へ移動させるかごをその下呼びボタン３２が設置された搬入出部がある階に停止することを指示するボタンであり、下呼びボタン３２が操作されると、その下呼びボタン３２が操作されたことを示す信号が制御部１０に送られる。
【００２８】
上呼びボタン３１の表示ランプおよび下呼びボタン３２の表示ランプは、制御部１０からの指示によって、点灯あるいは消灯する。上呼びボタン３１の表示ランプは、上昇方向に移動するかごを呼び中であることを示し、その上呼びボタン３１が操作されると点灯し、上昇方向へ移動するかごがその上呼びボタン３１がある階に停止すると消灯する。下呼びボタン３２の表示ランプは、下降方向へ移動するかごを呼び中であることを示し、その下呼びボタン３２が操作されると点灯し、下降方向へ移動するかごがその下呼びボタン３２がある階に停止すると消灯する。
【００２９】
図１を参照して、制御部１０は、行先ボタン２３が操作されたことを示す信号を受け取るとその行先ボタン２３が示す行先を表す行先情報、ならびに上呼びボタン３１が操作されたことを示す信号を受け取るとその上呼びボタン３１によって指示された階、および下呼びボタン３２が操作されたことを示す信号を受け取るとその下呼びボタン３２によって指示された階を表す停止階情報を、メモリ１２内の登録領域に登録つまり記憶する。メモリ１２は、登録領域のほかに、登録領域に記憶された情報を退避するための退避領域を含む。
【００３０】
制御部１０は、乗合運転モードでは、メモリ１２の登録領域に記憶された行先情報が示す行先へかごを移動する際、メモリ１２の登録領域に記憶された停止階情報が示す階のうちで、行先への移動方向と同じ方向へ移動させるかごの停止が指示された階にかごを停止する。
【００３１】
さらに制御部１０は、専有ボタン２１が操作されると、乗合運転モードから専有運転モードへ切換え、メモリ１２の登録領域から行先情報および停止階情報を読み出してメモリ１２の退避領域へ書き込むとともに登録領域に記憶された行先情報および停止階情報を消去する。専有運転モードでは、行先ボタン２３によって新たに指示された行先へかごを移動する際、メモリ１２の登録領域には停止階情報が記憶されていないので、行先までの階に停止することなく、行先までかごを移動することができる。
【００３２】
制御部１０は、専有運転モードで行先ボタン２３によって新たに指示された行先へのかごの移動が終了すると、専有運転モードから乗合運転モードへ切換え、メモリ１２の退避領域から行先情報および停止階情報を読み出してメモリ１２の登録領域へ書き込んで復活させるとともにメモリ１２の退避領域に記憶された行先情報および停止階情報を消去する。メモリ１２の登録領域に復活された行先情報および停止階情報があると、乗合運転モードでかごの運行を制御する。
【００３３】
図２に示した専有ボタン２１、専有表示灯２２、行先ボタン２３、行先灯２４、上呼びボタン３１、および下呼びボタン３２は、押しボタンあるいは表示ランプによって構成したが、これらに限定されるものではなく、たとえばタッチパネルなどを用いて構成してもよい。
【００３４】
図３は、図１に示した制御部１０が処理するフローチャートである。このフローチャートは、乗合運転モードと専有運転モードとの切換を行う処理および専有運転モードでかごを移動させる処理を示す。エレベータ運転操作装置１の電源が投入され、動作可能状態になると、ステップＳ１へ移る。
【００３５】
ステップＳ１では、ユーザがかご内専有ボタンを押したか否か、つまりかごに設置された専有ボタン２１が操作されたか否かを判断する。専有ボタン２１が操作されたことを示す信号を専有ボタン２１から受け取ると、ユーザがかご内専有ボタンを押したと判断して、ステップＳ２へ進む。専有ボタン２１が操作されたことを示す信号を専有ボタン２１から受け取らないと、ユーザがかご内専有ボタンを押していないと判断して、ステップＳ１へ戻り、専有ボタン２１が操作されることを監視する。
【００３６】
ステップＳ２では、呼び登録済みをメモリしてからキャンセルする。すなわち、メモリ１２の登録領域に記憶されている行先情報および停止階情報を読み出して、メモリ１２の退避領域に書き込んで退避し、メモリ１２の登録領域の行先情報および停止階情報を消去する。ステップＳ３では、専有表示灯２２を点灯し、専有運転モードに切換わったことを示す。
【００３７】
ステップＳ４では、行先ボタンによる入力か否かを判断する。すなわちかごに設置された行先ボタン２３が操作されたか否かを判断する。行先ボタン２３が操作されると、ステップＳ５へ進み、行先ボタン２３が操作されないと、ステップＳ１１へ進む。ステップＳ５では、行先灯を点灯し、エレベータを運転する。すなわち、ステップＳ４で操作された行先ボタン２３が示す行先に対応する行先灯２４を点灯し、操作された行先ボタン２３が示す行先へかごを移動する。
【００３８】
ステップＳ６では、かごが目的階へ到着したか否かを判断する。すなわちステップＳ４で操作された行先ボタン２３が示す目的階つまり行先へかごが到着したか否かを判断する。各階に設けられたかごの到着を検出する図示しない検出部からの信号によって、かごの到着を判断する。示すかごが目的階へ到着すると、ステップＳ７へ進み、かごが目的階へ到着しないと、ステップＳ６へ戻り、目的階へ到着することを監視する。ステップＳ７では、ステップＳ５で点灯した行先灯２４を消灯する。
【００３９】
ステップＳ８では、戸が開いているか否かを判断する。これは、ユーザが目的階での荷物の搬出を継続しているか否かを、戸が開いているか否かによって判断するためである。戸の開閉状態は、各戸に設けられた開閉を検出するための図示しない検出部から送られてくる信号によって判断する。戸が開いていないと、荷物の搬出が終了して戸が閉まったと判断し、ステップＳ９へ進む。戸が開いていると、ステップＳ８へ戻り、戸が閉まることを監視する。
【００４０】
ステップＳ９では、メモリに登録されていた呼びを復活する。すなわち、ステップＳ２でメモリ１２の退避領域に退避した行先情報および停止階情報を読み出して、メモリ１２の登録領域に書き込む。このとき、メモリ１２の退避領域に退避された行先情報および停止階情報は消去する。ステップＳ１０では、ステップＳ３で点灯した専有表示灯２２を消灯して、ステップＳ１へ戻る。
【００４１】
ステップＳ１１では、戸が開いているか否かを判断する。これは、ユーザが荷物の搬入を継続しているか否かを、戸が開いているか否かによって判断するためである。戸が開いていないと、行き先ボタン２３が操作されずに戸が閉まったことになるので、専有運転モードでの運転がキャンセルされたと判断して、ステップＳ９へ進む。戸が開いていると、荷物の搬入を継続していると判断し、ステップＳ３へ戻り、行先ボタン２３が操作されることを監視する。
【００４２】
このように、かごに設置される専有ボタン２１が操作されると、行先への移動方向と同じ方向へ移動させるかごの停止を指示した上呼びボタン３１および下呼びボタン３２が設置された搬入出部がある階にかごを停止する乗合運転モードつまり方向性乗合操作方式から、行先までの階に停止することなく行先までかごを移動する専有運転モードつまりシングルオートマチック方式へ切換えるので、各階に切換えボタンつまり専有ボタンを設けることなく、方向性乗合操作方式からシングルオートマチック方式への切換えをより早く行うことができる。したがって、装置の製造コストを抑えることができ、さらにシングルオートマチック方式に切換えられた後にかごの行先ボタン２３で指示された行先への移動を、シングルオートマチック方式に切換えられる前にかごの行先ボタン２３によって指示された行先への移動よりも優先し、かつシングルオートマチック方式に切換えられる前に各階の呼びボタンつまり上呼びボタン３１および下呼びボタン３２によって指示された階に停止することなくかごを行先まで移動することができる。
【００４３】
さらに、専有運転モードでかごを行先へ移動した後、専有運転モードから乗合運転モードへ切換えるので、専有運転モードでの行先へのかごの移動が完了すると、元の乗合運転モードに戻すことができる。したがって、必要なときのみ専有運転モードに切換えることができ、運転効率の悪化を改善することができる。
【００４４】
さらにまた、行先ボタン２３によって指示された行先を表す行先情報、ならびに上呼びボタン３１によって停止が指示された階および下呼びボタン３２によって停止が指示された階を表す停止階情報を第１の記憶手段であるメモリ１２の登録領域へ書き込み、第１の記憶手段に記憶された行先情報が示す行先へかごを移動する際、第１の記憶手段に記憶された停止階情報が示す階のうちで、行先への移動方向と同じ方向へ移動させるかごの停止が指示された階にかごを停止する。さらに専有ボタン２１が操作されて乗合運転モードから専有運転モードへ切換えるとき、第１の記憶手段から行先情報および停止階情報を読み出して第２の記憶手段であるメモリ１２の退避領域へ書き込むとともに第１の記憶手段に記憶された行先情報および停止階情報を消去し、さらに専有運転モードでかごを行先へ移動させた後専有運転モードから乗合運転モードへ切換えるとき、第２の記憶手段から行先情報および停止階情報を読み出して第１の記憶手段へ書き込むので、乗合運転モードから専有運転モードへ切換えるときに退避しておいた行先情報および停止階情報を、専有運転モードでかごを行先へ移動させた後専有運転モードから乗合運転モードへ切換えるときに復活させることができる。したがって、ユーザは、専有運転モードに切換える前に登録されていた行先情報が示す行先および停止階情報が示す階を、行先ボタン２３、上呼びボタン３１、および下呼びボタン３２によって再度指示する必要がない。
【００４５】
さらにまた、乗合運転モードから専有運転モードへ切換えるとき、専有表示灯２２を点灯し、さらに専有運転モードから乗合運転モードへ切換えるとき、専有表示灯２２を消灯するので、専有運転モードであることを専有表示灯２２によって示すことができる。したがって、ユーザは、専有表示灯２２によって専有運転モードで運転中であることを知ることができる。
【図面の簡単な説明】
【００４６】
【図１】本発明の実施の一形態であるエレベータ運転操作装置１の構成を示す。
【図２】図１に示したかご操作盤２０および乗場操作盤３０の外観を示す。
【図３】図１に示した制御部１０が処理するフローチャートである。
【符号の説明】
【００４７】
１  エレベータ運転操作装置
１０  制御部
２０  かご操作盤
２１  専有ボタン
２２  専有表示灯
２３  行先ボタン
２４  行先灯
３０  乗場操作盤
３１  上呼びボタン
３２  下呼びボタン
【図１】
2007186279.tif 000003
【図２】
2007186279.tif 000004
【図３】
2007186279.tif 000005